(57)【特許請求の範囲】
【請求項１】
外筒内に複数の筆記軸が収納され、各筆記軸の後端にスライダーが連結され、各スライダーが外筒の後部外周面に形成されたスロットに軸線方向に摺動可能にはめ込まれており、１つのスライダーを前進させて前記スロットの先端に保持させることによりこのスライダーに連結された筆記軸の先端を外筒の先端から突出した状態とする複合繰り出し用具において、
外筒の後端には外筒の後部内を軸線方向に移動可能に伸びるノック筒体が配設されて、ノック筒体内には径方向に揺動可能な揺動部材が取り付けられており、該揺動部材にはノック筒体の先端より先方へ延設されてスライダーに係合可能なカム部が形成されており、スライダーがノック筒体の先端に係止されることによって、該スライダーがスロットの先端に保持されると共に前記カム部が揺動して他のスライダーに係合する一方、該他のスライダーが前進することによってこれに係合したカム部がノック筒体の先端に係止されたスライダーの係止を外すことができ、さらに前記筆記軸の少なくとも１本はノック動作により筆記芯が送出されるものであり、この筆記軸に連結されたスライダーがノック筒体の先端に係止された状態でノック筒体をノックすることによって筆記軸のノック動作がなされることを特徴とする複合繰り出し用具。
【請求項２】
前記ノック筒体の外周面には、スロットに対応して軸線方向に複数の縦溝が形成されており、各縦溝を各スライダーが摺動することを特徴とする請求項１記載の複合繰り出し用具。
【請求項３】
各スライダーは、前記カム部と係合可能なカム面を有することを特徴とする請求項１または２記載の複合繰り出し用具。
【請求項４】
各スライダーは、前記カム部と係合可能で且つ互いに異なる方向へカム部を揺動させるカム面を２つ有することを特徴とする請求項１または２記載の複合繰り出し用具。
【発明の詳細な説明】
【０００１】
【発明の属する技術分野】
本発明は、シャープペンシル軸、ボールペン軸、若しくはアイブロウまたはアイライナー等の化粧料芯、消ゴム、パス等保持する棒状物軸等の複数の筆記軸を、筆記軸に連結されたスライダーを前進させることにより選択的に繰り出すことができる複合繰り出し用具に関する。
【０００２】
【従来の技術】
従来、この種の複合繰り出し用具としては、外筒内に複数の筆記軸が収納され、各筆記軸の後端にスライダーが連結され、各スライダーが外筒の後部外周面に形成されたスロットに軸線方向に摺動可能にはめ込まれており、１つのスライダーを前進させて該スロットの先端に保持させることによりこのスライダーに連結された筆記軸の先端が外筒の先端から突出した状態となるものが知られている。
【０００３】
【発明が解決しようとする課題】
しかしながら、この従来の複合繰り出し用具において、シャープペンシル軸のようにノック動作により筆記芯が送出動作される筆記軸を使用する場合にノック動作はスライダーをノックすることにより行われるが、スライダーは外筒の側周部にあるため、ノックがしにくいという欠点がある。
【０００４】
本発明はかかる課題に鑑みなされたもので、請求項１ないし４記載の発明は、ノック動作により筆記芯が送出操作される筆記軸も使用することができ、そのノック動作を簡単に行うことができる複合繰り出し用具を提供することを目的とするものである。
【０００５】
【課題を解決するための手段】
上記目的を達成するために本発明のうち請求項１記載の発明は、外筒内に複数の筆記軸が収納され、各筆記軸の後端にスライダーが連結され、各スライダーが外筒の後部外周面に形成されたスロットに軸線方向に摺動可能にはめ込まれており、１つのスライダーを前進させて前記スロットの先端に保持させることによりこのスライダーに連結された筆記軸の先端を外筒の先端から突出した状態とする複合繰り出し用具において、外筒の後端には外筒の後部内を軸線方向に移動可能に伸びるノック筒体が配設されて、ノック筒体内には径方向に揺動可能な揺動部材が取り付けられており、該揺動部材にはノック筒体の先端より先方へ延設されてスライダーに係合可能なカム部が形成されており、スライダーがノック筒体の先端に係止されることによって、該スライダーがスロットの先端に保持されると共に前記カム部が揺動して他のスライダーに係合する一方、該他のスライダーが前進することによってこれに係合したカム部がノック筒体の先端に係止されたスライダーの係止を外すことができ、さらに前記筆記軸の少なくとも１本はノック動作により筆記芯が送出されるものであり、この筆記軸に連結されたスライダーがノック筒体の先端に係止された状態でノック筒体をノックすることによって筆記軸のノック動作がなされることを特徴とする。
【０００６】
１つの筆記軸を使用したいときには、従来の操作と同様に１つのスライダーを前進させることによりノック筒体の先端に係止させて、スロットの先端に保持させることができる。こうして、このスライダーに連結された筆記軸が外筒の先端から突出するため、筆記が可能となる。
外筒の先端から突出した筆記軸が、ノック動作により筆記芯を送出するものである場合、外筒の後端にあるノック筒体をノックすると、その先端に係止されたスライダーをノックすることができ、そのスライダーに連結された筆記軸の筆記芯が送出される。
【０００７】
外筒の先端から突出した筆記軸を収納したいときには、従来の操作と同様に他のスライダーのいずれかを前進させると、該他のスライダーに係合したカム部が、前記スライダーのノック筒体の先端への係止を外すため該スライダーを後退させてこのスライダーに連結された筆記軸を収納することができる。
また、請求項２記載の発明では、請求項１記載のものにおいて、前記ノック筒体の外周面には、スロットに対応して軸線方向に複数の縦溝が形成されており、各縦溝を各スライダーが摺動することを特徴とする。
【０００８】
また、請求項３記載の発明では、請求項１または２記載のものにおいて、各スライダーは、前記カム部と係合可能なカム面を有することを特徴とする。
スライダーのカム面によってスライダーの前進動作を、該スライダーに係合するカム部の揺動動作に変えて、カム部の揺動動作によりノック筒体の先端に係止されたスライダーの係止を外すことができる。
【０００９】
また、請求項４記載の発明では、請求項１または２記載のものにおいて、各スライダーは、前記カム部と係合可能で且つ互いに異なる方向へカム部を揺動させるカム面を２つ有することを特徴とする。
スライダーのカム面によってスライダーの前進動作を、該スライダーに係合するカム部の揺動動作に変えて、カム部の揺動動作によりノック筒体の先端に係止されたスライダーの係止を外すことができる。スライダーの複数のカム面は異なる方向へカム部へ揺動させる。カム部とスライダーとの係合具合によって、異なるカム面からカム部へ与える力の方向を変えることができる。これにより、前進動作させられるスライダーに対して真正面以外の斜めの位置にあるスライダーがノック筒体の先端に係止されていた場合でも、そのスライダーの方向へカム部を揺動させることができる。
【００１０】
【発明の実施の形態】
以下、図１ないし図４を用いて本発明の実施の形態を説明する。
図１において、外筒１０は先筒１１と後筒１２とから構成され、これら先筒１１と後筒１２とは互いに螺着により着脱可能に連結されている。尚、１３は先筒１１の使用者の把持部分に設けられた弾性ラバーである。
【００１１】
外筒１０内には、複数（本実施の形態では４本）の筆記軸が収納されており、本実施の形態では、筆記軸として、１本のシャープペンシル軸１４と３本のボールペン軸１６（図１において手前と奥のボールペン軸１６は見えない）とが使用されている。シャープペンシル軸１４には、例えば、実公平６−３２３９７号公報に示されたような、チャックを前進させることにより筆記芯を送出する公知の芯送出機構が内蔵されている。シャープペンシル軸１４の先端が先筒１１の先端から突出した状態でシャープペンシル軸１４を前方へ向けてノックすると、シャープペンシル軸１４の先筒１１から突出しない先部が、先筒１１の先端内壁に当接して、芯送出機構が前進し、芯（筆記芯）１５が送出される。但し、筆記軸は、この組み合わせに限定されず、アイブロウまたはアイライナー等の化粧料芯、消ゴム、パスのような比較的軟らかな筆記芯でもよく、その場合は実公平６−３２３９７号公報で示された消しゴム繰り出し機構のように案内筒内にセットされ、筆記芯を細棒で保持し、この細棒をシャープペンシル軸１４の場合の芯１５と同じように送出することによって、筆記芯を送出するものであってもよい。
【００１２】
各筆記軸１４、１６の後端にはスライダー１８が連結されている。スライダー１８には、その外側に使用者が手で操作する為の操作突部１８ａが形成され、またその内側には、その前後方向途中位置において、内方に突出した突設部１８ｂが形成されている。突設部１８ｂは、後述の揺動部材３０のカム部３０ａと係合可能であり、図４に示したように、各スライダー１８は、それぞれの法線の図４断面への投影線が互いに異なる向きを向いたカム面１８ｃ１とカム面１８ｃ２とを有している。各スライダー１８のカム面１８ｃ１とカム面１８ｃ２とは、スライダー１８の中心と外筒１０の軸心とを結ぶ径方向の中心線に対して線対称の関係にあって、この例では、互いに１２０度の角度をなしている。各スライダー１８は、後筒１２の後部外周面に形成されたスロット１２ｂにそれぞれ軸線方向に摺動可能にはめ込まれる。
【００１３】
後筒１２には、その内部に各筆記軸１４、１６が挿通する挿通孔が形成された隔壁１２ａが設けられている。隔壁１２ａと各スライダー１８の間には、弾性体であるバネ２２がそれぞれ介挿されており、各バネ２２が各筆記軸１４、１６を常時、後方へ付勢している。
そして、この後筒１２の後端には、外筒１０に対して外筒１０の後部内を外筒１０に対して軸線方向に移動可能に伸びるノック筒体２４が配設されている。ノック筒体２４は、本実施の形態では消ゴム受けを兼ねており、その後端に消ゴム２６を保持している。但し、筆記軸として消ゴムを保持した棒状物軸を使用する場合には、かかる消ゴム２６は省略可能であり、また消ゴム２６に替えて印鑑を保持していてもよい。また、符号２８は消ゴム２６を保護する消ゴムキャップであり、省略することも可能である。
【００１４】
ノック筒体２４は、外筒１０の後端に係止される係止突部２４ａを備えており、該係止突部２４ａを後筒１２の後方から強制的に押し込んでその後端に係止させることにより外筒１０に取り付けることができ、一度取り付けた後は、ノック筒体２４が外筒１０から脱落することがない。
さらに、ノック筒体２４には、スロット１２ｂに対応して、軸線方向に伸びる複数の縦溝２４ｂが形成されており、図３に示すように、この縦溝２４ｂに沿ってスライダー１８が摺動することができるようになっている。
【００１５】
ノック筒体２４の先端は、図１または図２に示すように、スロット１２ｂの前後方向途中位置に位置づけられている。ノック筒体２４内側に形成された絞り部２４ｃには、揺動部材３０が径方向に揺動可能に取り付けられており、揺動部材３０の先端は、ノック筒体２４の先端より先方へ延設されており、その先端には、径方向に拡大したカム部３０ａが形成されている。カム部３０ａの先方に行くに連れて漸次外径方向に拡大する傾斜面は、カム面３０ｂとなっており、揺動部材３０が揺動してあるスライダー１８に接近すると、該スライダー１８のカム面１８ｃ１及び／またはカム面１８ｃ２と係合することができるようになっている。
【００１６】
以上のように構成される複合繰り出し用具において、すべての筆記軸１４、１６が後退しているときには、スライダー１８はバネ２２の付勢力によってスロット１２ｂの後部へと押し付けられており、ノック筒体２４もスライダー１８によって後方へ押し付けられている。また、揺動部材３０も特定のスライダー１８から特定方向の力を受けることなく外筒１０の軸心上にある。
【００１７】
次に、ある筆記軸を突出させるために、使用者がスライダー１８の操作突部１８ａをスロット１２ｂに沿って前進させると、ノック筒体２４の縦溝２４ｂに誘導されてスライダー１８の横振れが阻止されながら、このスライダー１８がスロット１２ｂを摺動する。さらに、前進させたスライダー１８を、ノック筒体２４のなくなった所から外筒１０の軸心に向かって押し込むと、スライダー１８の後端がノック筒体２４の先端に係止して、スロット１２ｂの先端に保持され、このスライダー１８に連結された筆記軸の先端が外筒１０の先端から突出した図２に示す如き状態となる。
【００１８】
この突出された筆記軸がシャープペンシル軸１４の場合、筆記芯１５の消耗に応じてノック動作によって筆記芯１５を送出させる必要がある。このため、ノック筒体２４を消ゴムキャップ２８を介して後方からノックすると、ノック筒体２４がスライダー１８を押してシャープペンシル軸１４をノックさせる。こうして、内蔵する芯送出機構の作用により筆記芯１５が所定量ずつ送出される。
【００１９】
ところで、スライダー１８をノック筒体２４の先端に係止させるために、スライダー１８を軸心に向かって押し込むときに、このスライダー１８は揺動部材３０のカム部３０ａを同じ方向へ押し付けるので、カム部３０ａは他のスライダー１８のカム面１８ｃ１と１８ｃ２と係合した状態となる。図４は、この状態を表しており、図４中上側にあるスライダー１８の内側面１８ｄがカム部３０ａを押し付けている。これによって、カム部３０ａは偏心し、図４中左側にあるスライダー１８のカム面１８ｃ２と、図４中右側にあるスライダー１８のカム面１８ｃ１と、図４中下側にあるスライダー１８のカム面１８ｃ１及びカム面１８ｃ２とに係合する。図４中、スライダー１８のカム面１８ｃ１、１８ｃ２とカム部３０ａとの重なり合う部分が係合している部分となっている。これに対して、カム部３０ａは、図４中左側にあるスライダー１８のカム面１８ｃ１、及び図４中右側にあるスライダー１８のカム面１８ｃ２と、それぞれ隙間を形成しており、係合していない。言い換えれば、カム部３０ａとスライダー１８との係合は、前進しているスライダー１８に対して対向するスライダー１８のカム面１８ｃ１及び／または１８ｃ２の係合面積が、対向していないカム面１８ｃ１及び／または１８ｃ２の係合面積よりも大きくなっている。即ち、図４において、必ずしも、カム部３０ａは、対向していない図４中左側にあるスライダー１８のカム面１８ｃ１及び図４中右側にあるスライダー１８のカム面１８ｃ２と、それぞれ隙間を形成する必要はなく、互いに係合し合ってもかまわないが、必ず、その係合面積が、カム部３０ａと対向する図４中左側にあるスライダー１８のカム面１８ｃ２及び図４中右側にあるスライダー１８のカム面１８ｃ１との係合面積よりも小さくなっている。
【００２０】
筆記が終了し、または他の筆記軸に替える場合には、従来の操作と同様に、突出していない筆記軸１６に連結されたスライダー１８のいずれかを前進させると、このスライダー１８のカム面１８ｃ１及び／またはカム面１８ｃ２からこれらに係合しているカム部３０ａが力Ｆを受ける。この力Ｆには分力として、前進しているスライダー１８を外径方向に押す力Ｆ１が存在するため、前進しているスライダー１８とノック筒体２４の先端との間の係止が外れ、スライダー１８はバネ２２の付勢力により、後方へと退却する。尚、前進しているスライダー１８に対して対向するスライダー１８のカム面ｃ１またはカム面１８ｃ２の係合面積が、対向していないスライダー１８のカム面ｃ１またはカム面１８ｃ２の係合面積よりも大きいために、必ず、力Ｆの分力には、前進しているスライダー１８を外径方向へ押す力が存在することになる。
【００２１】
以上のように、筆記軸のノック動作は、外筒１０の後端に取り付けられたノック筒体２４を操作することによって行うことができるため、ノックが簡単にでき、また、新しい筆記芯１５を送出する場合等ノックを多数行わなければならない場合に、操作が簡単である。
図５及び図６を用いて、本発明の第２の実施の形態を説明する。各図において、第１の実施の形態と同一の部材は同一の符号を用いて、その詳細な説明は省略する。
【００２２】
本実施の形態の外筒１０内には、３本の筆記軸が収納されており、１本のシャープペンシル軸１４と２本のボールペン軸１６（図５において、手前のボールペン軸は見えない）とが使用されている。
各筆記軸１４、１６の後端には、スライダー１８’が連結されている。スライダー１８’は、第１の実施の形態と同様のスライダー１８と同じカム面１８ｃ１とカム面１８ｃ２とを有するものを用いて部品を共通化することもできるが、筆記軸が３本の場合には、カム面１８’ｃの法線の図６断面への投影線が外筒１０の内径方向に、一致した一面のものから構成することもできる。
【００２３】
このような構成によれば、ある筆記軸を突出させるためには、第１の実施の形態と同様に、スライダー１８’をスロット１２ｂに沿って前進させることで、そのスライダー１８’をノック筒体２４の先端に係止させて、スロット１２ｂの先端に保持させることができる。また、筆記軸を後退させる場合にも、第１の実施の形態と同様に、前進していないスライダー１８’のいずれかを前進させると、このスライダー１８’のカム面１８’ｃからカム部３０ａが受ける力Ｆ’の分力として、必ず、前進しているスライダー１８’を外径方向に押す力Ｆ’１が存在するため、前進しているスライダー１８’とノック筒体２４との間の係止が外れ、スライダー１８’はバネ２２の付勢力により、後方へと退却する。
【００２４】
【発明の効果】
以上説明したように、請求項１ないし４記載の発明によれば、外筒の後端にあるノック筒体をノックすることで、筆記芯の送出動作を行うことができるため、従来のようなスライダー自身をノックするものに比べて、ノック操作が簡単にでき、特に新しい筆記芯に交換してノックを多数しなければならない場合にも、操作が簡単である。
【００２５】
さらに、請求項２記載の発明によれば、ノック筒体の外周面に形成された縦溝をスライダーが摺動するために、スライダーが横揺れすることなく、安定して摺動することができる。
さらに、請求項３記載の発明によれば、各スライダーが、前記カム部と係合可能なカム面を有することから、スライダーのカム面によってスライダーの前進動作を、該スライダーに係合するカム部の揺動動作に変えるので、確実にカム部がノック筒体の先端に係止されたスライダーの係止を外すことができる。
【００２６】
さらに、請求項４記載の発明によれば、各スライダーが、前記カム部と係合可能で且つ互いに異なる方向へカム部を揺動させるカム面を複数有することから、スライダーのカム面によってスライダーの前進動作を、該スライダーに係合するカム部の揺動動作に変えるので、確実にカム部がノック筒体の先端に係止されたスライダーの係止を外すことができる。スライダーの複数のカム面は異なる方向へカム部を揺動させるため、カム部とスライダーとの係合具合によって、異なるカム面からカム部へ与える合力の方向を変えることができる。これにより、前進動作させられるスライダーに対して真正面以外の斜めの位置にあるスライダーがノック筒体の先端に係止されていた場合でも、そのスライダーの方向へカム部を揺動させることができる。
【図面の簡単な説明】
【図１】本発明の複合繰り出し用具の第１の実施の形態を表す縦断面図であり、全筆記軸が後退している状態を示す。
【図２】本発明の複合繰り出し用具の第１の実施の形態を表す縦断面図であり、シャープペンシル軸が前進している状態を示す。
【図３】図１の３−３線に沿って見た断面図である。
【図４】図２の４−４線に沿って見た断面図である。
【図５】本発明の第２の実施の形態を表す要部縦断面図である。
【図６】図５の６−６線に沿って見た断面図である。
【符号の説明】
１０      外筒
１２ｂ    スロット
１４      シャープペンシル軸（筆記軸）
１６      ボールペン軸（筆記軸）
１８、１８’  スライダー
１８ｃ１  カム面
１８ｃ２  カム面
１８’ｃ  カム面
２４      ノック筒体
２４ｂ    縦溝
３０      揺動部材
３０ａ    カム部
【図１】
0003847431.tif 000002
【図２】
0003847431.tif 000003
【図３】
0003847431.tif 000004
【図４】
0003847431.tif 000005
【図５】
0003847431.tif 000006
【図６】
0003847431.tif 000007